(57)【特許請求の範囲】
【請求項１】
略矩形板状をなすとともに、各側辺部に沿ってそれぞれ上方に突出する土台部を有する底壁部と、前記各土台部に対してそれぞれ回動可能に連結された側壁部とを備え、
前記各側壁部は、前記土台部の上方に立設される起立位置と、前記底壁部の上方に畳まれる寝かせ位置との間を回動変位可能に構成された折り畳みコンテナであって、
前記側壁部及び前記土台部のうち一方に対して回動可能に設けられ、前記側壁部が前記起立位置にある場合において、前記側壁部及び前記土台部の内面から突出する保持部材を備え、
前記保持部材は、前記側壁部が前記起立位置にある場合に、前記側壁部と前記土台部とを上下に跨ぐようにして延在する使用位置と、前記側壁部及び前記土台部のうち一方の内面に対してのみ対向配置される収納位置との間を回動変位可能に構成されており、
前記保持部材は、一側面から突出する軸突起及びガイド突起を備え、
前記側壁部及び前記土台部のうち一方には、前記軸突起を軸支する軸受孔と、前記軸受孔を中心とする円弧に沿って形成され、前記ガイド突起を挿通可能なガイドスリットとが形成され、
前記保持部材は、前記軸受孔に軸支された前記軸突起を中心として、前記ガイド突起が前記ガイドスリットに案内されつつ、回動可能に構成され、
前記軸受孔及び前記ガイドスリットは、前記保持部材が前記使用位置とされた場合に、前記保持部材を下方に変位させることで前記軸突起及び前記ガイド突起が挿通される第１係止凹部と、前記保持部材が前記収納位置とされた場合に、前記保持部材を当該保持部材の長手方向に沿って変位させることで前記軸突起及び前記ガイド突起が挿通される第２係止凹部とを備えていることを特徴とする折り畳みコンテナ。
【請求項２】
略矩形板状をなすとともに、各側辺部に沿ってそれぞれ上方に突出する土台部を有する底壁部と、前記各土台部に対してそれぞれ回動可能に連結された側壁部とを備え、
前記各側壁部は、前記土台部の上方に立設される起立位置と、前記底壁部の上方に畳まれる寝かせ位置との間を回動変位可能に構成された折り畳みコンテナであって、
前記側壁部及び前記土台部のうち一方に対して回動可能に設けられ、前記側壁部が前記起立位置にある場合において、前記側壁部及び前記土台部の内面から突出する保持部材を備え、
前記保持部材は、前記側壁部が前記起立位置にある場合に、前記側壁部と前記土台部とを上下に跨ぐようにして延在する使用位置と、前記側壁部及び前記土台部のうち一方の内面に対してのみ対向配置される収納位置との間を回動変位可能に構成されており、
前記保持部材は、前記使用位置とされた場合に、前記底壁部に形成された水抜き孔に係止される係止突部を備えていることを特徴とする折り畳みコンテナ。
【請求項３】
前記保持部材は、前記使用位置とされた場合に、前記底壁部に形成された水抜き孔に係止される係止突部を備えていることを特徴とする請求項１に記載の折り畳みコンテナ。
【発明の詳細な説明】
【技術分野】
【０００１】
本発明は、物品の運搬等に使用される折り畳みコンテナに関するものである。
【背景技術】
【０００２】
従来、略矩形板状の底壁部と、底壁部の各側辺部に対応して回動可能に連結された側壁部とを備え、各側壁部を底壁部の上方に重ねるようにして内側に折り畳むことのできる折り畳みコンテナが知られている。さらに、側壁部の内面側から突出する保持部を設け、当該保持部によって折り畳みコンテナに収容された物品を保持し、当該物品のガタツキを抑制するといった技術がある（例えば、特許文献１等参照。）。
【先行技術文献】
【特許文献】
【０００３】
【特許文献１】特開２００５−１４９８０号公報
【発明の概要】
【発明が解決しようとする課題】
【０００４】
しかしながら、上記特許文献１に記載の保持部は、側壁部（側壁板）の高さ方向のほんの一部に対応して設けられているに過ぎず、例えば、複数の物品を上下に積み重ねた状態で折り畳みコンテナに収容して運搬等する場合には、保持部で物品のガタツキを抑制するといった作用効果が十分に奏されないおそれがある。また、特許文献１に記載の保持部は、側壁部とは別に折り畳み可能に構成された内側部材に設けられているため、折り畳みコンテナを組み立てたり折り畳んだりする際の作業性の低下を招くおそれがある。
【０００５】
本発明は上記問題点を解決するためになされたものであって、その目的は、側壁部の好適な折り畳みを実現しつつ、収容された物品のガタツキをより確実に抑制することのできる折り畳みコンテナを提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形板状をなすとともに、各側辺部に沿ってそれぞれ上方に突出する土台部を有する底壁部と、前記各土台部に対してそれぞれ回動可能に連結された側壁部とを備え、
前記各側壁部は、前記土台部の上方に立設される起立位置と、前記底壁部の上方に畳まれる寝かせ位置との間を回動変位可能に構成された折り畳みコンテナであって、
前記側壁部及び前記土台部のうち一方に対して回動可能に設けられ、前記側壁部が前記起立位置にある場合において、前記側壁部及び前記土台部の内面から突出する保持部材を備え、
前記保持部材は、前記側壁部が前記起立位置にある場合に、前記側壁部と前記土台部とを上下に跨ぐようにして延在する使用位置と、前記側壁部及び前記土台部のうち一方の内面に対してのみ対向配置される収納位置との間を回動変位可能に構成されており、
前記保持部材は、一側面から突出する軸突起及びガイド突起を備え、
前記側壁部及び前記土台部のうち一方には、前記軸突起を軸支する軸受孔と、前記軸受孔を中心とする円弧に沿って形成され、前記ガイド突起を挿通可能なガイドスリットとが形成され、
前記保持部材は、前記軸受孔に軸支された前記軸突起を中心として、前記ガイド突起が前記ガイドスリットに案内されつつ、回動可能に構成され、
前記軸受孔及び前記ガイドスリットは、前記保持部材が前記使用位置とされた場合に、前記保持部材を下方に変位させることで前記軸突起及び前記ガイド突起が挿通される第１係止凹部と、前記保持部材が前記収納位置とされた場合に、前記保持部材を当該保持部材の長手方向に沿って変位させることで前記軸突起及び前記ガイド突起が挿通される第２係止凹部とを備えていることを特徴とする折り畳みコンテナ。
【０００８】
手段１によれば、側壁部を起立位置とし、保持部材を使用位置とすることで、保持部材を側壁部と土台部とに跨がせて上下に延在させることができる。従って、側壁部及び土台部の内面から突出した保持部材によって、折り畳みコンテナに収容された物品の外周面を支持して、水平方向における位置ずれを防止することができる。特に、側壁部から土台部にかけて切れ目なく保持部材を延在させることができるため、例えば、折り畳みコンテナに複数の物品を積み重ねて収容する場合において、側壁部の下辺部よりも上方に位置する物品だけでなく、側壁部の下辺部よりも下方に位置する物品についても、保持部材が各段の物品に直接触れるようにして確実に保持することができる。従って、折り畳みコンテナに収容された物品のガタツキや傾倒等をより確実に防止することができる。
【０００９】
さらに、保持部材を収納位置とすることで、保持部材が、側壁部及び土台部の一方側に寄せられて側壁部と土台部との境界部を上下に跨がなくなるため、側壁部を内側に回動させて折り畳むことが可能となる。従って、上下に積み重ねられて折り畳みコンテナに収容された各段の物品に対してそれぞれ保持部材を当接させて保持可能な構成としても、側壁部を確実に折り畳むことができる。
【００１０】
また、例えば、保持部材を側壁部の高さ方向において伸縮可能に構成する場合には、保持部材の外面に段差が形成されてしまうおそれがあるが、本手段のように、保持部材を回動変位させる構成を採用することで、保持部材の長さを確保しつつ、保持部材の外面に段差が形成されないように（面一に）構成することができる。従って、折り畳みコンテナに収容された物品を段差のない平坦面で支持することができ、物品のガタツキをより確実に抑制することができる。さらに、保持部材を伸縮させるための構成が不要なため、構成の簡素化等を図ることができる。
【００１２】
また、保持部材は、軸突起が軸受孔に軸支されている上、保持部材の回動に際してガイド突起がガイドスリットに案内される。このため、保持部材の回動の際の安定感を向上させるとともに、保持部材を支える軸突起の負担を軽減し、軸突起の劣化、損傷等を抑制することができる。また、軸突起及びガイド突起を、軸受孔及びガイドスリットに形成された第１係止凹部及び第２係止凹部に挿通させることにより、使用位置及び収納位置とされた保持部材の回動変位を防止することができる。従って、使用位置及び収納位置とされた保持部材の位置決めをより確実に行うことができる。
【００１３】
さらに、軸受孔及びガイドスリットを横に延ばす（横穴を形成する）だけで、保持部材を収納位置にて保持するよう構成できる。このため、保持部材を収納位置にて保持しておくための構成の簡略化を図ることができる。
【００１４】
手段２．略矩形板状をなすとともに、各側辺部に沿ってそれぞれ上方に突出する土台部を有する底壁部と、前記各土台部に対してそれぞれ回動可能に連結された側壁部とを備え、
前記各側壁部は、前記土台部の上方に立設される起立位置と、前記底壁部の上方に畳まれる寝かせ位置との間を回動変位可能に構成された折り畳みコンテナであって、
前記側壁部及び前記土台部のうち一方に対して回動可能に設けられ、前記側壁部が前記起立位置にある場合において、前記側壁部及び前記土台部の内面から突出する保持部材を備え、
前記保持部材は、前記側壁部が前記起立位置にある場合に、前記側壁部と前記土台部とを上下に跨ぐようにして延在する使用位置と、前記側壁部及び前記土台部のうち一方の内面に対してのみ対向配置される収納位置との間を回動変位可能に構成されており、
前記保持部材は、前記使用位置とされた場合に、前記底壁部に形成された水抜き孔に係止される係止突部を備えていることを特徴とする折り畳みコンテナ。
手段３．前記保持部材は、前記使用位置とされた場合に、前記底壁部に形成された水抜き孔に係止される係止突部を備えていることを特徴とする手段１に記載の折り畳みコンテナ。
【００１５】
手段２，３によれば、保持部材には、使用位置とされた場合に底壁部の水抜き孔に係止される係止突部が設けられており、構成の複雑化を抑制しつつ、使用位置にある保持部材自身のガタツキを抑制することができる。尚、上記手段３の構成を採用する場合、保持部材を底壁部に対して直交する方向に沿って近づけることができるため、係止突部を水抜き孔に挿入し易くなり、止突部を水抜き孔に無理やりねじ込むこと等に起因する係止突部の損傷等を抑制することができる。
【図面の簡単な説明】
【００１６】
【図１】組み立て状態にある折り畳みコンテナの斜視図である。
【図２】組み立て状態にあり、保持部材が収納位置にある折り畳みコンテナの斜視図である。
【図３】折り畳み状態にある折り畳みコンテナの斜視図である。
【図４】長辺側側壁部の外面側を示す側面図である。
【図５】保持部材の斜視図である。
【図６】折り畳みコンテナの一部断面を含む斜視図である。
【図７】折り畳みコンテナの一部断面を含む斜視図である。
【図８】物品が収容された折り畳みコンテナの斜視図である。
【発明を実施するための形態】
【００１７】
以下に、一実施形態について図面を参照して説明する。図１等に示すように、折り畳みコンテナ１は、略矩形板状の底壁部２と、底壁部２の相対する一対の長辺部に対応してそれぞれ回動可能に設けられた長辺側側壁部３と、底壁部２の相対する一対の短辺部に対応してそれぞれ回動可能に設けられた短辺側側壁部４とを備えている。本実施形態では、底壁部２、長辺側側壁部３、及び短辺側側壁部４はポリプロピレンにより構成されている。
【００１８】
図３に示すように、底壁部２には、各長辺部に沿って底壁部２から上方に突出する長辺側土台部６と、各短辺部に沿って底壁部２から上方に突出する短辺側土台部７とが設けられている。本実施形態では、長辺側側壁部３及び短辺側側壁部４は、それぞれ長辺側土台部６及び短辺側土台部７に対して回動可能に連結されており、それぞれ土台部６、７の上方に立設される起立位置と、底壁部２の上方に折り畳まれ、当該底壁部２と平行して延在する寝かせ位置との間を回動変位可能に構成されている。
【００１９】
図３、図７等に示すように、各長辺側土台部６は、底壁部２の長辺部から上方に延びる内壁部１１と、内壁部１１の上縁部から外方に延びる上壁部１２と、上壁部１２の外縁部から下方に延びる外壁部１３とを備え、下方に開口した断面略コ字状をなしている。また、各長辺側土台部６には、長辺側側壁部３を回動可能に支持するための軸受部１５が設けられている。軸受部１５は、内壁部１１と外壁部１３との間を連結する連結壁部１６を各土台部６、７の延在方向において対向するようにして一対で設け、一対の連結壁部１６間の部位において、上壁部１２を切欠くとともに、内壁部１１を連結壁部１６との連接部位を残すようにして切欠き、残された内壁部１１の上辺部から外壁部１３側に向けて突出するフック部（図示略）を設けることによって構成されている。
【００２０】
また、図３に示すように、各短辺側土台部７についても、上壁部１２は省略されているものの、底壁部２の短辺部に沿って互いに平行して延びる内壁部１１及び外壁部１３を備えるとともに、連結壁部１６で区画され、フック部１７を備える軸受部１５が設けられている。
【００２１】
本実施形態の短辺側土台部７の底壁部２からの突出長は、長辺側土台部６の底壁部２からの突出長よりも短くなっている。また、短辺側土台部７は、相対する一対の長辺側土台部６の内面同士を連結するようにして設けられている。さらに、各長辺側土台部６の両端部近傍部位の内壁部１１から短辺側土台部７の上方に突出するずれ防止凸部１８が形成されている。ずれ防止凸部１８の内面は、短辺側土台部７の内壁部１１の内面と面一となっている。
【００２２】
尚、図６、図７等に示すように、本実施形態の底壁部２は、碁盤目状に上下に貫通する開口部が形成された底板２ａと、底板２ａに形成された各開口部の周縁部から下方に延出する格子状の底リブ２ｂとを備えている。底リブ２ｂは、土台部６、７より構成される枠状部の内周側の範囲全域に形成されている。また、土台部６、７の外壁部１３の下縁部は、底壁部２の底板２ａの下面とほぼ同じ高さ位置となっており、底リブ２ｂの下縁部よりも上方に位置している。本実施形態では、底板２ａにおいて碁盤目状に形成された各開口部が水抜き孔に相当する。
【００２３】
図１、図４、図６等に示すように、長辺側側壁部３及び短辺側側壁部４は、長辺側土台部６又は短辺側土台部７とほぼ同じ横幅を有する略矩形板状の壁本体２１と、壁本体２１の下辺部（起立位置では下側を向き、寝かせ位置では底壁部２の外周側を向く面）から突出するヒンジ部２３とを備えている。また、壁本体２１の外面には、少なくとも壁本体２１の外周縁に沿って、適宜、補強リブ２４が外方に突出形成されており、これによって、長辺側側壁部３及び短辺側側壁部４の厚みが長辺側土台部６又は短辺側土台部７の厚みとほぼ同じに構成されている。
【００２４】
図４等に示すように、ヒンジ部２３は、壁本体２１の外周に沿って形成された補強リブ２４のうち起立位置にある側壁部３、４の下辺部を構成する部位から下方に向けて垂直に延出する略棒状の連結部２５と、連結部２５の先端部の両側面からそれぞれ側壁部３、４の長手方向に沿って突出する一対の軸部２６とを備え、全体として略Ｔ字状をなしている。そして、長辺側側壁部３及び短辺側側壁部４のヒンジ部２３の軸部２６が、それぞれ長辺側土台部６又は短辺側土台部７の軸受部１５に挿入されることで、軸部２６が軸受部１５のフック部１７の下面側に位置して（引っ掛かって）軸支されるようになる。これによって、各側壁部３、４が土台部６、７に対して回動可能に連結されている。
【００２５】
尚、図１等に示すように、本実施形態では、長辺側土台部６の軸受部１５（長辺側側壁部３の回転中心）は、短辺側土台部７の軸受部１５（短辺側側壁部４の回転中心）よりも上方位置に設けられている。このため、短辺側側壁部４を先に畳まないと、長辺側側壁部３を畳むことができない構成となっている。従って、図３、図７等に示すように、折り畳みコンテナ１を折り畳んだ状態（全ての側壁部３、４を底壁部２と平行な寝かせ位置とした非使用状態）では、長辺側側壁部３が、短辺側側壁部４の上側に重なるようにして畳まれている。加えて、図１に示すように、折り畳みコンテナ１を上方に開口する箱型に組み立てた状態（全ての側壁部３、４を起立位置とした使用状態）とすると、各側壁部３、４の上面がほぼ面一となるように構成されている。
【００２６】
また、長辺側側壁部３の壁本体２１の上下幅は、一対の長辺側土台部６間の距離の半分よりも若干短くなっている。さらに、短辺側側壁部４の壁本体２１の上下幅は、一対の短辺側土台部７間の距離の半分よりも短くなっている。
【００２７】
加えて、図３、図７に示すように、長辺側側壁部３の壁本体２１の下辺部の両端部近傍部位には、長辺側側壁部３を折り畳んだ際に、ずれ防止凸部１８が挿入されるずれ防止凹部２８が形成されている。これにより、短辺側側壁部４の上方に折り畳まれた長辺側側壁部３の水平方向におけるずれ移動をより確実に防止することができる。
【００２８】
また、長辺側側壁部３は、寝かせ位置とされると、長辺側土台部６の上面よりも下方に位置する。このため、折り畳まれた状態の折り畳みコンテナ１を上下に積み重ねる（段積みする）と、下側の折り畳みコンテナ１の長辺側土台部６の上面によって上側の折り畳みコンテナ１の下面が支持されるとともに、上側の折り畳みコンテナ１の底リブ２ｂの外周面の４隅が、下側の折り畳みコンテナ１の各ずれ防止凸部１８と長辺側土台部６とでなすコーナー部に略当接して位置決めされる。従って、折り畳み状態にある折り畳みコンテナ１を安定して段積みすることができる。
【００２９】
さらに、全ての側壁部３、４を起立させて箱型とした使用状態でも、折り畳みコンテナ１を段積みすると、下側の折り畳みコンテナ１の側壁部３、４の上辺部によって、上側の折り畳みコンテナ１の下面外周部が支持されるとともに、上側の折り畳みコンテナ１の底リブが、下側の折り畳みコンテナ１の側壁部３、４の内周側に進入して位置決めが行われる。従って、使用状態にある折り畳みコンテナ１を安定して段積みすることができる。
【００３０】
さて、図１、図２等に示すように、本実施形態では、長辺側側壁部３に対して回動可能に設けられ、長辺側側壁部３が起立位置にある場合において、長辺側側壁部３及び長辺側土台部６の内面から突出する略直方体形状の保持部材３１を備えている。保持部材３１は、長辺側側壁部３が起立位置にある場合に、長辺側側壁部３と長辺側土台部６とを上下に跨ぐようにして延在する使用位置と、長辺側側壁部３の内面に対してのみ対向配置される収納位置との間を回動変位可能に構成されている。
【００３１】
図５に示すように、保持部材３１は、長辺側側壁部３の内面に対向する一側面から突出する軸突起３２及びガイド突起３３を備えている。軸突起３２及びガイド突起３３は、それぞれ断面略円形をなし、先端部において拡径部３２ａ、３３ａを備えている。本実施形態では、軸突起３２とガイド突起３３とは同形状の突起であり、保持部材３１の長手方向一端部近傍に設けられている方が軸突起３２として構成され、保持部材３１の長手方向中央部側に設けられている方がガイド突起３３として構成されている。尚、軸突起３２及びガイド突起３３は、保持部材３１の本体とは別体で構成されてもよいし、一体的に構成されてもよい。
【００３２】
これに対し、長辺側側壁部３には、図４等に示すように、軸突起３２を軸支する軸受孔４１と、軸受孔４１を中心とする四半円状の円弧に沿って形成され、ガイド突起３３を挿通可能なガイドスリット４２とが形成されている。基本的に、軸受孔４１及びガイドスリット４２の幅は、軸突起３２及びガイド突起３３の付け根部（拡径部３２ａ、３３ａまでの間の部位）よりは大きく、軸突起３２及びガイド突起３３の拡径部３２ａ、３３ａよりは小さくなっている。そして、軸突起３２及びガイド突起３３が、それぞれ軸受孔４１及びガイドスリット４２に挿通されることで、保持部材３１は、軸突起３２を中心として、軸突起３２及びガイド突起３３が、軸受孔４１及びガイドスリット４２に案内されつつ、回動可能に構成されている。また、拡径部３２ａ、３３ａが長辺側側壁部３の壁本体２１の外面側に位置するため、保持部材３１の脱落が防止される。
【００３３】
さらに、本実施形態では、保持部材３１が使用位置にある場合、図１、図６に示すように、保持部材３１の長手方向が略鉛直方向（長辺側側壁部３の高さ方向）に沿って延びている。このため、図８に示すように、上下に複数段積み重ねた物品（例えば弁当箱）を複数列（本例では３列）で折り畳みコンテナ１に収容した場合、物品の外周面と長辺側側壁部３との間の隙間を埋めるようにして保持部材３１が折り畳みコンテナ１の内側に突出することとなり、該物品が保持部材３１によって位置決めされる。これにより、物品の水平方向における位置ずれを防止する（保持する）ことができ、各列の物品同士が接触する等の事態を回避することができる。
【００３４】
一方、保持部材３１が収納位置にある場合、図２に示すように、保持部材３１の長手方向が水平方向（長辺側側壁部３の横幅方向、長辺側土台部６の長手方向）に沿って延びている。そして、保持部材３１を収納位置とした状態で長辺側側壁部３を内側に傾倒させることで、保持部材３１が長辺側土台部６等に干渉することもなく、長辺側側壁部３を寝かせ位置となるまで折り畳むことができる。
【００３５】
また、図４等に示すように、軸受孔４１及びガイドスリット４２は、保持部材３１が使用位置とされた場合に、保持部材３１を下方に変位させることで軸突起３２及びガイド突起３３が挿通される第１係止凹部４４と、保持部材３１が収納位置とされた場合に、保持部材３１を当該保持部材３１の長手方向に沿って変位させることで軸突起３２及びガイド突起３３が挿通される第２係止凹部４５とを備えている。すなわち、軸突起３２及びガイド突起３３がそれぞれ軸受孔４１及びガイドスリット４２の第１係止凹部４４に挿通された場合、保持部材３１の上方向以外の方向への変位が規制され、保持部材３１が使用位置にて保持されることとなる。一方、軸突起３２及びガイド突起３３がそれぞれ第２係止凹部４５に挿通された場合、保持部材３１の使用位置側への回動変位が規制され、保持部材３１が収納位置にて保持されることとなる。
【００３６】
加えて、図６に示すように、保持部材３１は、使用位置とされた場合の下面を構成する面から突出する係止突部３４を備えている。そして、保持部材３１を使用位置として軸突起３２及びガイド突起３３を軸受孔４１及びガイドスリット４２の第１係止凹部４４に挿通させることで、底板２ａにおいて碁盤目状に形成された開口部（水抜き孔）に対して、係止突部３４が嵌入するように構成されている。
【００３７】
尚、本実施形態では、折り畳みコンテナ１の折り畳み状態において、保持部材３１は短辺側側壁部４の外面よりも上方に位置している。また、本実施形態では、保持部材３１は、各長辺側側壁部３に対応して２つずつ均等位置に設けられている。さらに、長辺側側壁部３は長手方向中央部を中心として対称形状をなし、軸受孔４１及びガイドスリット４２についても左右対称形状をなしている。加えて、相対する一対の長辺側側壁部３においてそれぞれ設けられた保持部材３１は、互いに対向する位置に設けられている。
【００３８】
以上詳述したように、本実施形態によれば、長辺側側壁部３を起立位置とし、保持部材３１を使用位置とすることで、保持部材３１を長辺側側壁部３と長辺側土台部６とに跨がせて上下に延在させることができる。従って、長辺側側壁部３及び長辺側土台部６の内面から突出した保持部材３１によって、折り畳みコンテナ１に収容された物品の外周面を支持して、水平方向における位置ずれを防止することができる。特に、長辺側側壁部３から長辺側土台部６にかけて切れ目なく保持部材３１を延在させることができるため、例えば、折り畳みコンテナ１に複数の物品を積み重ねて収容する場合において、長辺側側壁部３の下辺部よりも上方に位置する物品だけでなく、長辺側側壁部３の下辺部よりも下方に位置する物品についても、保持部材３１が各段の物品に直接触れるようにして確実に保持することができる。従って、折り畳みコンテナ１に収容された物品のガタツキや傾倒等をより確実に防止することができる。
【００３９】
さらに、保持部材３１を収納位置とすることで、保持部材３１が、長辺側側壁部３側に寄せられて長辺側側壁部３と長辺側土台部６との境界部を上下に跨がなくなるため、長辺側側壁部３を内側に回動させて折り畳むことが可能となる。従って、上下に積み重ねられて折り畳みコンテナ１に収容された各段の物品に対してそれぞれ保持部材３１を当接させて保持可能な構成としても、長辺側側壁部３を確実に折り畳むことができる。
【００４０】
また、例えば、保持部材３１を長辺側側壁部３の高さ方向において伸縮可能に構成する場合には、保持部材３１の外面に段差が形成されてしまうおそれがあるが、本実施形態のように、保持部材３１を回動変位させる構成を採用することで、保持部材３１の長さを確保しつつ、保持部材３１の外面に段差が形成されないように（面一に）構成することができる。従って、折り畳みコンテナ１に収容された物品を段差のない平坦面で支持することができ、物品のガタツキをより確実に抑制することができる。さらに、保持部材３１を伸縮させるための構成が不要なため、構成の簡素化等を図ることができる。
【００４１】
また、保持部材３１は、軸突起３２が軸受孔４１に軸支されている上、保持部材３１の回動に際してガイド突起３３がガイドスリット４２に案内される。このため、保持部材３１の回動の際の安定感を向上させるとともに、保持部材３１を支える軸突起３２の負担を軽減し、軸突起３２の劣化、損傷等を抑制することができる。また、軸突起３２及びガイド突起３３を、軸受孔４１及びガイドスリット４２に形成された第１係止凹部４４及び第２係止凹部４５に挿通させることにより、使用位置及び収納位置とされた保持部材３１の回動変位を防止することができる。従って、使用位置及び収納位置とされた保持部材３１の位置決めをより確実に行うことができる。
【００４２】
さらに、軸受孔４１及びガイドスリット４２を横に延ばす（横穴を形成する）だけで、保持部材３１を収納位置にて保持するよう構成できる。このため、保持部材３１を収納位置にて保持しておくための構成の簡略化を図ることができる。
【００４３】
加えて、保持部材３１には、下面から突出する係止突部３４が設けられ、保持部材３１が使用位置とされた場合に、係止突部３４が底壁部２の底板２ａの開口部（水抜き孔）に係止されるようになっている。このため、構成の複雑化を抑制しつつ、使用位置にある保持部材３１自身のガタツキを抑制することができる。また、上記のように、保持部材３１が使用位置とされた場合には、軸突起３２及びガイド突起３３が、軸受孔４１及びガイドスリット４２の各第１係止凹部４４に挿入されるのであるが、当該挿入動作に際しては、上下方向に延びた姿勢の保持部材３１が真直ぐ下方にスライド変位することから、係止突部３４を水抜き孔に挿入し易くなり、係止突部３４を水抜き孔に無理やりねじ込むこと等に起因する係止突部３４の損傷等を抑制することができる。
【００４４】
尚、上記実施形態の記載内容に限定されず、例えば次のように実施してもよい。勿論、以下において例示しない他の応用例、変更例も当然可能である。
【００４５】
（ａ）上記実施形態では、側壁部３、４を折り畳んだ状態において、長辺側側壁部３が上側で短辺側側壁部４が下側に重なるようになっているが、長辺側側壁部３が下側で短辺側側壁部４が上側に重なるよう構成してもよい。また、上記実施形態では、長辺側側壁部３にだけ保持部材３１が設けられているが、長辺側側壁部３の保持部材３１に加えて、又は、代えて、短辺側側壁部４に保持部材３１を設けることとしてもよい。さらに、上記実施形態では、保持部材３１が、相対する一対の長辺側側壁部３において対向位置に設けられ、各長辺側側壁部３においても均等位置に設けられているが、保持部材３１の配置や数などは特に限定されるものではなく、収容される物品に応じて適宜設定される。例えば、保持部材３１が一方の長辺側側壁部３にのみ設けられてもよいし、一対の長辺側側壁部３においてそれぞれ設けられた保持部材３１の位置が、長辺側側壁部３の長手方向においてずれていてもよい。
【００４６】
（ｂ）上記実施形態では、保持部材３１が長辺側側壁部３に対して回動可能に軸支されているが、長辺側土台部６に軸支されるよう構成してもよい。但し、この場合、長辺側土台部６の大型化を招き、折り畳みコンテナ１をコンパクトに折り畳めなくなるおそれがあるため、上記実施形態のように、側壁部３の方に設けることが望ましい。
【００４７】
また、軸突起３２及びガイド突起３３の配置についても特に限定されるものではなく、例えば、上記実施形態ではガイド突起３３として構成されている突起を中心として回動可能となるように構成してもよい。さらに、ガイド突起３３を省略することも可能である。但し、この場合、第２係止凹部４５に代わる保持部材３１を収納位置で保持しておくための構成を設けることが望ましい。加えて、第１係止凹部４４や係止突部３４を省略することも可能であるが、保持部材３１を使用位置で保持するために少なくとも一方を設けることが望ましい。
【００４８】
（ｃ）上記実施形態では、折り畳みコンテナ１の折り畳み状態において、保持部材３１は短辺側側壁部４の外面よりも上方に位置しているが、例えば、短辺側側壁部４の補強リブ２４の内周側に保持部材３１の一部が収容されるように構成してもよい。この場合、折り畳みコンテナ１のコンパクト化等を図ることができる。また、上記実施形態では、長辺側側壁部３が長手方向中央部を中心として対称形状をなし、各長辺側側壁部３に設けられた一対の保持部材３１は、使用位置と収納位置との間を変位する際に逆回りに回動するように構成されているが、同じ方向に回動するように構成してもよい。
【００４９】
（ｄ）上記実施形態では、折り畳みコンテナ１はポリプロピレンにより構成されているが、ポリエチレン、ＰＥＴ、ポリアミド等その他の樹脂材料により構成されることとしてもよい。また、例えば、保持部材３１の素材についても樹脂に限定されるものではなく、例えば、保持部材３１の表面に対してゴム製で表面に細かな凹凸が形成されたシートを貼着してもよい。
【符号の説明】
【００５０】
１…折り畳みコンテナ、２…底壁部、３…長辺側側壁部、４…短辺側側壁部、６…長辺側土台部、７…短辺側土台部、３１…保持部材、３２…軸突起、３３…ガイド突起、３４…係止突部、４１…軸受孔、４２…ガイドスリット、４４…第１係止凹部、４５…第２係止凹部。
【図１】
0005650061.tif 000002
【図２】
0005650061.tif 000003
【図３】
0005650061.tif 000004
【図４】
0005650061.tif 000005
【図５】
0005650061.tif 000006
【図６】
0005650061.tif 000007
【図７】
0005650061.tif 000008
【図８】
0005650061.tif 000009